(57)【要約】【課題】ＦＭ検波した信号の品質を改善する技術を提供する。【解決手段】直交検波部１２は、ＦＭ信号を直交検波する。第１低減部３２、第２低減部３４は、直交検波部１２において直交検波がなされたＦＭ信号に含まれた直流成分を低減する。ＦＭ検波部１８は、第１低減部３２、第２低減部３４において直流成分を低減したＦＭ信号をＦＭ検波することによって、検波信号を生成する。オフセット部３６は、ＦＭ検波部１８において生成した検波信号にオフセットを加える。ＡＦＣ部２０は、オフセット部３６においてオフセットを加えた検波信号をもとに、直交検波部１２において使用されるローカル発振信号の周波数を制御するための制御信号を生成し、ローカル発振信号を出力すべきローカル発振器２４へ制御信号をフィードバックする。【選択図】図１
2015154241.tif 000002
【特許請求の範囲】
【請求項１】
ＦＭ信号を直交検波する直交検波器と、
前記直交検波器において直交検波がなされたＦＭ信号に含まれた直流成分を低減する低減部と、
前記低減部において直流成分を低減したＦＭ信号をＦＭ検波することによって、検波信号を生成するＦＭ検波部と、
前記ＦＭ検波部において生成した検波信号にオフセットを加えるオフセット部と、
前記オフセット部においてオフセットを加えた検波信号をもとに、前記直交検波器において使用されるローカル発振信号の周波数を制御するための制御信号を生成し、ローカル発振信号を出力すべきローカル発振器へ制御信号をフィードバックするＡＦＣ部と、
を備えることを特徴とするＦＭ受信装置。
【請求項２】
前記低減部において直流成分を低減したＦＭ信号のレベルを測定する測定部と、
前記測定部において測定したレベルがしきい値よりも小さくなった場合、前記低減部において直流成分を低減したＦＭ信号あるいは前記ＦＭ検波部において生成した検波信号を別の値に変更して出力する変更部をさらに備えることを特徴とする請求項１に記載のＦＭ受信装置。
【請求項３】
前記ＦＭ検波部において生成した検波信号をもとに、基準値との差分信号を生成する差分計算部と、
前記差分計算部において生成した差分信号と、前記ＦＭ検波部において生成した検波信号とを加算する加算部とをさらに備えることを特徴とする請求項１または２に記載のＦＭ受信装置。
【請求項４】
前記オフセット部は、前記直交検波器においてＦＭ信号を検出していない場合、検波信号の代わりに所定の値を前記ＡＦＣ部へ出力することを特徴とする請求項１から３のいずれかに記載のＦＭ受信装置。
【請求項５】
前記ＡＦＣ部は、前記直交検波器においてＦＭ信号を検出していない場合、ローカル発振器へ制御信号をフィードバックする代わりに、周波数変調されたローカル発振信号をローカル発振器に出力させることを特徴とする請求項１から３のいずれかに記載のＦＭ受信装置。
【請求項６】
ＦＭ信号を直交検波するステップと、
直交検波がなされたＦＭ信号に含まれた直流成分を低減するステップと、
直流成分を低減したＦＭ信号をＦＭ検波することによって、検波信号を生成するステップと、
生成した検波信号にオフセットを加えるステップと、
オフセットを加えた検波信号をもとに、前記直交検波するステップにおいて使用されるローカル発振信号の周波数を制御するための制御信号を生成し、ローカル発振信号を出力すべきローカル発振器へ制御信号をフィードバックするステップと、
を備えることを特徴とするＦＭ受信方法。
【発明の詳細な説明】
【技術分野】
【０００１】
本発明は、受信技術に関し、特にＦＭ信号を受信するＦＭ受信装置、ＦＭ受信方法に関する。
【背景技術】
【０００２】
ダイレクト・コンバージョン方式のＦＭ（Ｆｒｅｑｕｅｎｃｙ  Ｍｏｄｕｌａｔｉｏｎ）受信機は、直交検波によってＲＦ信号をベースバンド信号に変更してから、ベースバンド信号をアンプにて増幅する。アンプによって不要な直流成分が出力されるので、ＦＭ受信機は、カップリングコンデンサにて、ベースバンド信号に含まれた直流成分を低減する。さらに、ＦＭ受信機は、直流成分が低減されたベースバンド信号をＦＭ検波する（例えば、特許文献１参照）。
【先行技術文献】
【特許文献】
【０００３】
【特許文献１】特開平３−１６３４９号公報
【発明の概要】
【発明が解決しようとする課題】
【０００４】
ダイレクト・コンバージョン方式のＦＭ受信機がカップリングコンデンサを備える場合、アンプによる不要な直流成分が低減されるだけではなく、ベースバンド信号の直流成分や低周波成分も低減されることがある。そのような低減によって、ＦＭ検波後に歪み成分が発生する。また、無変調の信号を受信し、さらに受信信号の周波数がローカル発振信号の周波数と同一である場合、ベースバンド信号は直流成分のみになるので、カップリングコンデンサにおいてすべての信号がカットされてしまう。その結果、アンテナで受信されるノイズや内部で発生するノイズだけが、ＦＭ検波されるので、ＦＭ検波後の信号がノイズだけになってしまう。
【０００５】
本発明はこうした状況に鑑みてなされたものであり、その目的は、ＦＭ検波した信号の品質を改善する技術を提供することである。
【課題を解決するための手段】
【０００６】
上記課題を解決するために、本発明のある態様のＦＭ受信装置は、ＦＭ信号を直交検波する直交検波器と、直交検波器において直交検波がなされたＦＭ信号に含まれた直流成分を低減する低減部と、低減部において直流成分を低減したＦＭ信号をＦＭ検波することによって、検波信号を生成するＦＭ検波部と、ＦＭ検波部において生成した検波信号にオフセットを加えるオフセット部と、オフセット部においてオフセットを加えた検波信号をもとに、直交検波器において使用されるローカル発振信号の周波数を制御するための制御信号を生成し、ローカル発振信号を出力すべきローカル発振器へ制御信号をフィードバックするＡＦＣ部と、を備える。
【０００７】
本発明のさらに別の態様は、ＦＭ受信方法である。この方法は、ＦＭ信号を直交検波するステップと、直交検波がなされたＦＭ信号に含まれた直流成分を低減するステップと、直流成分を低減したＦＭ信号をＦＭ検波することによって、検波信号を生成するステップと、生成した検波信号にオフセットを加えるステップと、オフセットを加えた検波信号をもとに、直交検波するステップにおいて使用されるローカル発振信号の周波数を制御するための制御信号を生成し、ローカル発振信号を出力すべきローカル発振器へ制御信号をフィードバックするステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ＦＭ検波した信号の品質を改善できる。
【図面の簡単な説明】
【００１０】
【図１】本発明の実施例１に係る受信装置の構成を示す図である。
【図２】本発明の実施例２に係る受信装置の構成を示す図である。
【図３】本発明の実施例３に係る受信装置の構成を示す図である。
【図４】図３の受信装置による受信手順を示すフローチャートである。
【図５】本発明の実施例４に係る受信装置の構成を示す図である。
【発明を実施するための形態】
【００１１】
（実施例１）
本発明を具体的に説明する前に、まず概要を述べる。本発明の実施例１は、ダイレクト・コンバージョン型のＦＭ受信装置に関する。直交検波器とＦＭ検波器との間にカップリングコンデンサを配置することによって、直流成分が低減されるので、直交座標のずれが小さくなる。しかしながら、無変調信号を受信したときに、ＡＦＣにより、受信信号とローカル発振信号との周波数ずれをゼロに収束させると、直交検波出力が座標円上の１点で停止し、ＦＭ検波器に入力される信号のレベルが原点付近に近づくように減衰する。ＦＭ検波器におけるＡｒｃｔａｎ検波は、位相回転の変化量を出力するので、入力が原点付近に集中すると、不規則なノイズによる位相の回転が検出されてしまう。その結果、ＦＭ検波の結果は、ノイズになる。一方、受信信号が無変調である場合には、ＦＭ検波の結果は無音となるべきものである。また、ローカル発振器の出力周波数は温度などで変動するので、温度によってノイズの発生条件が変化する。さらに、デジタル（４値ＦＳＫ：Ｆｒｅｑｕｅｎｃｙ  Ｓｈｉｆｔ  Ｋｅｙｉｎｇ）であれば無変調送信が生じないので、前述のことは、無変調送信で使用される状態があるアナログＦＭでの課題である。
【００１２】
本実施例は、ダイレクト・コンバージョン方式によって、ベースバンド信号の直流成分を低減した後にＦＭ検波する受信装置において、ＦＭ検波後の歪みを低減することを目的とする。これは、無変調の信号を受信した場合にも安定した動作を実現することともいえる。ここでは、直交検波出力の回転を停止することがないように、ＡＦＣの周波数ずれの収束目標をゼロとせず、オフセット値に収束させる。
【００１３】
図１は、本発明の実施例１に係る受信装置１００の構成を示す。受信装置１００は、アンテナ１０、直交検波部１２、第１低減部３２、第２低減部３４、第１ＡＤＣ部１４、第２ＡＤＣ部１６、ＦＭ検波部１８、オフセット部３６、ＡＦＣ部２０、ＤＡＣ部２２、ローカル発振器２４を含む。直交検波部１２は、第１増幅部４０、分配部４２、第１ミキサ４４、第１ＬＰＦ部４６、第２増幅部４８、移相部５０、第２ミキサ５２、第２ＬＰＦ部５４、第３増幅部５６を含む。ＡＦＣ部２０は、第３ＬＰＦ部６０、第４増幅部６２を含む。
【００１４】
アンテナ１０は、図示しない送信装置からのＲＦ（Ｒａｄｉｏ  Ｆｒｅｑｕｅｎｃｙ）信号を受信する。ＲＦ信号には、ＦＭ変調がなされている。アンテナ１０は、受信したＲＦ信号を第１増幅部４０へ出力する。第１増幅部４０は、ＬＮＡ（Ｌｏｗ  Ｎｏｉｓｅ  Ａｍｐｌｉｆｉｅｒ）であり、アンテナ１０からのＲＦ信号を増幅する。第１増幅部４０は、増幅したＲＦ信号を分配部４２へ出力する。分配部４２は、第１増幅部４０からのＲＦ信号を２系統に分離する。分配部４２は、分離したＲＦ信号を第１ミキサ４４、第２ミキサ５２へ出力する。
【００１５】
ローカル発振器２４は、ＤＡＣ部２２からの制御信号に応じてローカル発振信号の周波数を調節し、周波数が調節されたローカル発振信号を第１ミキサ４４、移相部５０へ出力する。ここで、ローカル発振器２４は、制御信号の電圧が高くなるほど、ローカル発振信号の周波数を高くする。移相部５０は、ローカル発振器２４からのローカル発振信号を９０度位相シフトする。移相部５０は、位相シフトしたローカル発振信号を第２ミキサ５２へ出力する。
【００１６】
第１ミキサ４４は、分配部４２からのＲＦ信号とローカル発振器２４からのローカル発振信号とを乗算することによって、ベースバンドの同相成分信号（以下、「Ｉ信号」という）を生成する。第１ミキサ４４は、Ｉ信号を第１ＬＰＦ部４６へ出力する。第２ミキサ５２は、分配部４２からのＲＦ信号と移相部５０からのローカル発振信号とを乗算することによって、ベースバンドの直交成分信号（以下、「Ｑ信号」という）を生成する。第２ミキサ５２は、Ｑ信号を第２ＬＰＦ部５４へ出力する。
【００１７】
第１ＬＰＦ部４６は、第１ミキサ４４からのＩ信号のうち遮断周波数以上の周波数の信号を除去することによって帯域制限を実行する。第１ＬＰＦ部４６は、低域成分のＩ信号（以下、これもまた「Ｉ信号」という）を第２増幅部４８へ出力する。第２ＬＰＦ部５４は、第２ミキサ５２からのＱ信号のうち遮断周波数以上の周波数の信号を除去することによって帯域制限を実行する。第２ＬＰＦ部５４は、低域成分のＱ信号（以下、これもまた「Ｑ信号」という）を第３増幅部５６へ出力する。第２増幅部４８は、第１ＬＰＦ部４６からのＩ信号を増幅して、第１低減部３２へ出力する。第３増幅部５６は、第２ＬＰＦ部５４からのＱ信号を増幅して、第２低減部３４へ出力する。第２増幅部４８から出力されるＩ信号には、不要な直流成分が含まれ、第３増幅部５６から出力されるＱ信号にも、不要な直流成分が含まれる。以上のように、直交検波部１２は、ＲＦ信号を直交検波している。また、直交検波部１２は、アナログのデバイスで構成され、例えば１チップで構成される。
【００１８】
第１低減部３２は、第２増幅部４８からのＩ信号を入力する。第１低減部３２は、例えば、カップリングコンデンサで構成されており、Ｉ信号に含まれた直流成分を低減する。第１低減部３２は、直流成分を低減したＩ信号（以下、これもまた「Ｉ信号」という）を第１ＡＤＣ部１４へ出力する。第２低減部３４は、第３増幅部５６からのＱ信号を入力する。第２低減部３４も、第１低減部３２と同様に、カップリングコンデンサで構成されており、Ｑ信号に含まれた直流成分を低減する。第２低減部３４は、直流成分を低減したＱ信号（以下、これもまた「Ｑ信号」という）を第２ＡＤＣ部１６へ出力する。
【００１９】
第１ＡＤＣ部１４は、第１低減部３２からのＩ信号に対してアナログ／デジタル変換を実行する。第１ＡＤＣ部１４は、デジタル信号に変換したＩ信号（以下、これもまた「Ｉ信号」という）をＦＭ検波部１８へ出力する。第２ＡＤＣ部１６は、第２低減部３４からのＱ信号に対してアナログ／デジタル変換を実行する。第２ＡＤＣ部１６は、デジタル信号に変換したＱ信号（以下、これもまた「Ｑ信号」という）をＦＭ検波部１８へ出力する。
【００２０】
ＦＭ検波部１８は、Ｉ信号とＱ信号、つまりベースバンド信号をＦＭ検波する。ＦＭ検波として、例えば、Ａｒｃｔａｎ検波が実行される。Ａｒｃｔａｎ検波では、Ｉ信号およびＱ信号のそれぞれを三角形の２辺として、その角度が導出される。単位時間あたりの角度の変化が角速度、つまり周波数になるので、ＦＭ変調の復調が可能になる。ＦＭ検波部１８は、ＦＭ検波の結果である検波信号を出力する。出力される検波信号は、音声信号に相当する。
【００２１】
オフセット部３６は、ＦＭ検波部１８において生成した検波信号にオフセットを加える。これは、検波信号にオフセット値を加算することに相当する。オフセット部３６がない場合、ＡＦＣ部２０によって、ＲＦ信号の中心周波数とローカル発振信号の周波数が同じになるように制御されるが、オフセット部３６が一定のオフセット値を加えるので、ローカル発振信号は、オフセット値に応じた周波数オフセットを有する。この周波数オフセットが、第１低減部３２、第２低減部３４において低減されない周波数に設定されると、ＲＦ信号が無変調になった場合でも、Ｉ信号およびＱ信号は、直流成分にならずに、周波数オフセットと同じ周波数になる。そのため、無変調のＲＦ信号が入力された場合でも、検波信号はノイズにならない。
【００２２】
第３ＬＰＦ部６０は、ＦＭ検波部１８において生成した検波信号に対して、低域通過処理を実行する。これは、検波信号の平均値を導出することに相当する。そのため、第３ＬＰＦ部６０において、検波信号の直流成分、つまりＲＦ信号とローカル発振信号との周波数差が検出される。第４増幅部６２は、第３ＬＰＦ部６０からの信号を増幅することによって、制御信号を生成する。第４増幅部６２における増幅によって、ＡＦＣループのゲインが決められる。このように、ＡＦＣ部２０は、オフセット部３６においてオフセットを加えた検波信号をもとに、直交検波において使用されるローカル発振信号の周波数を制御するための制御信号を生成する。なお、ＡＦＣ部２０は、直交検波部１２においてＲＦ信号を検出していない場合、ローカル発振器２４へ制御信号をフィードバックする代わりに、周波数変調されたローカル発振信号をローカル発振器２４に出力させてもよい。
【００２３】
ＤＡＣ部２２は、第４増幅部６２からの制御信号をデジタル／アナログ変換して、アナログ信号の制御信号（以下、これもまた「制御信号」という）をローカル発振器２４へ出力する。つまり、ＡＦＣ部２０は、ローカル発振信号を出力すべきローカル発振器２４へ制御信号をフィードバックする。
【００２４】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２５】
本実施例によれば、検波信号にオフセットを加えるので、無変調信号が入力された場合でもベースバンド信号がすべてカットされてしまうおそれを抑制できる。また、ベースバンド信号がすべてカットされてしまうおそれが抑制されるので、ＲＦ信号を受信していない場合と同じようにＦＭ検波出力がノイズだけになることを回避できる。また、ＦＭ検波出力がノイズだけになることが回避されるので、ＦＭ検波した信号の品質を改善できる。また、ＲＦ信号が入力される前と後でローカル発振器のオフセット値を変えるので、ＲＦ信号の入力時点でベースバンド信号が低減されることを抑制することと、それ以降の隣接妨害等の受信特性の悪化を抑制することとを両立できる。また、無変調の信号が入力された場合に、ベースバンド信号が連続して低減部で低減されることを抑制できる。また、ＲＦ信号を検出するまでの間、ローカル発振信号の周波数を変動させるので、ベースバンド信号が連続して低減部で低減されることを抑制できる。
【００２６】
（実施例２）
次に、実施例２を説明する。本発明の実施例２は、実施例１と同様に、ダイレクト・コンバージョン型であり、かつ直交検波器とＦＭ検波器との間にカップリングコンデンサを配置したＦＭ受信装置に関する。カップリングコンデンサが挿入されることにより、ベースバンド信号の周波数が低くなると、ベースバンド信号の振幅が減衰することもある。具体的に説明すると、受信されたＦＭ変調波の周波数遷移において受信信号の周波数とローカル発振器の周波数が同一になる付近では、直交検波器から出力されるベースバンド信号の周波数が直流に近い値となる。そのような状態では、カップリングコンデンサによって、ベースバンド信号のレベルが低下する。このような状況の発生を抑制することが、実施例２の目的である。実施例２に係るＦＭ受信装置は、ベースバンド信号のレベルが減衰した場合に、検波信号を補間する。
【００２７】
図２は、本発明の実施例２に係る受信装置１００の構成を示す。受信装置１００では、図１に、測定部７０、変更部７２が追加される。ここでは、図１との差異を中心に説明する。前述のごとく、図２において無変調信号が入力された場合、ベースバンド信号は第１低減部３２、第２低減部３４を通過する。一方、変調信号が入力された場合、ベースバンド信号の周波数が直流付近になるときに信号成分も第１低減部３２、第２低減部３４で低減され、それをＦＭ検波すると歪みやノイズが発生する。
【００２８】
測定部７０は、第１低減部３２からのＩ信号を入力するとともに、第２低減部３４からのＱ信号を入力する。測定部７０は、入力したＩ信号およびＱ信号をもとに、ベースバンド信号のレベルを測定する。レベルの測定には公知の技術が使用されればよいので、ここでは説明を省略する。測定部７０は、測定したレベルを変更部７２へ出力する。変更部７２は、ＦＭ検波部１８からの検波信号を入力するとともに、測定部７０からのレベルも入力する。変更部７２は、予め保持したしきい値とレベルとを比較する。変更部７２は、レベルがしきい値よりも小さくなった場合、検波信号を別の値、例えば過去の検波信号に変更して出力するといった補正を行う。このような場合において、歪みやノイズが検波信号に多いと想定され、その際の検波信号を出力しないように制御される。なお、過去の検波信号は、測定部７０において測定されたレベルがしきい値以上であった場合の検波信号である。
【００２９】
本実施例によれば、ベースバンド信号が一時的に直流成分に近づき、低減部で低減される場合でも、それをＦＭ検波した信号の出力を停止するので、出力する信号の歪みやノイズを低減できる。また、出力する信号の歪みやノイズが低減されるので、信号品質を向上できる。
【００３０】
（実施例３）
次に、実施例３を説明する。本発明の実施例３は、これまでと同様に、ダイレクト・コンバージョン型であり、かつ直交検波器とＦＭ検波器との間にカップリングコンデンサを配置したＦＭ受信装置に関する。特に、受信したＲＦ信号は、トーンスケルチ用の信号であると相当する。さらに、ＲＦ信号の受信を開始した初期状態において、ＲＦ信号とローカル発振信号間の周波数差が大きい場合、ＡＦＣ部がローカル発振信号を制御するので、ＦＭ検波部から出力される値の平均値が変動してしまう。その場合、ＣＴＣＳＳ（Ｃｏｎｔｉｎｕｏｕｓ  Ｔｏｎｅ  Ｃｏｄｅｄ  Ｓｑｕｅｌｃｈ  Ｓｙｓｔｅｍ）やＤＣＳ（Ｄｉｇｉｔａｌ−Ｃｏｄｅｄ  Ｓｑｕｅｌｃｈ）がＲＦ信号に含まれると、信号検出に影響が及ぼされる。
【００３１】
これに対応するために実施例３に係るＦＭ受信装置は、ＦＭ検波信号をもとにＡＦＣを実行することによって、ローカル発振器の周波数を制御するとともに、ＡＦＣの制御信号をＦＭ検波信号に加算する。この加算によって、減衰した制御信号の成分が増加する。
【００３２】
図３は、本発明の実施例３に係る受信装置１００の構成を示す。受信装置１００では、図２に、制御部２６、差分計算部２８、加算部３０が追加される。ここでは、図２との差異を中心に説明する。
【００３３】
制御部２６は、受信装置１００の電源がオンになったタイミング、受信装置１００がＲＦ信号の受信を開始したタイミングを検出する。これらのタイミングは、「開始タイミング」と総称される。開始タイミングの検出には公知の技術が使用されればよいので、ここでは説明を省略する。制御部２６は、処理の開始タイミングを差分計算部２８に指示する。このように制御部２６は、差分計算部２８の動作を制御する。
【００３４】
差分計算部２８は、第３ＬＰＦ部６０からの信号、つまり第３ＬＰＦ部６０において低域通過処理した検波信号を入力する。差分計算部２８は、制御部２６によって指示される処理の開始タイミングにおいて、第３ＬＰＦ部６０において低域通過処理した検波信号を基準値として取得して、記憶する。差分計算部２８は、基準値を記憶した後、第３ＬＰＦ部６０において低域通過処理した検波信号と基準値との差分を差分信号として順次生成する。つまり、差分計算部２８は、ＦＭ検波部１８において生成した検波信号をもとに、基準値との差分信号を生成する。差分計算部２８は、差分信号を加算部３０へ出力する。
【００３５】
加算部３０は、差分計算部２８において生成した差分信号と、変更部７２からの検波信号とを加算する。これは、ＡＦＣ部２０によるＦＭ検波部１８の出力電圧変動をキャンセルする動作に相当する。
【００３６】
以上の構成による受信装置１００の動作を説明する。図４は、受信装置１００による受信手順を示すフローチャートである。制御部２６が受信開始を検出すれば（Ｓ１０のＹ）、差分計算部２８は、基準値を取得する（Ｓ１２）。制御部２６が受信開始を検出しなければ（Ｓ１０のＮ）、差分計算部２８は、第３ＬＰＦ部６０の出力値−基準値を計算することによって差分信号を生成する（Ｓ１４）。差分計算部２８は、差分信号を出力する（Ｓ１６）。
【００３７】
本実施例によれば、低域透過処理した検波信号と基準値との差分を検波信号に加算するので、トーンスケルチ用の信号の減衰を抑制できる。また、処理の開始タイミングの低域透過処理した検波信号を基準値として記憶するので、処理の精度を向上できる。また、トーンスケルチ用の信号がＲＦ信号に含まれている場合に、ＡＦＣがこの信号に追従して、ＦＭ検波後のトーンスケルチ用の信号が減衰したり歪んだりしてしまうことに対して、差分信号を加算するので、トーンスケルチ用の信号を戻すことができる。また、トーンスケルチ用の信号が戻されるので、スケルチ動作を正常に実行できる。また、ＡＦＣによって発生するＦＭ検波後の信号の変動を低減するので、トーンスケルチ信号の検出性能の悪化を抑制できる。
【００３８】
（実施例４）
次に、実施例４を説明する。本発明の実施例４は、これまでと同様に、ダイレクト・コンバージョン型であり、かつ直交検波器とＦＭ検波器との間にカップリングコンデンサを配置したＦＭ受信装置に関する。実施例４は、ＡＦＣを含まない構成に相当する。
【００３９】
図５は、本発明の実施例４に係る受信装置１００の構成を示す。受信装置１００は、アンテナ１０、直交検波部１２、第１低減部３２、第２低減部３４、第１ＡＤＣ部１４、第２ＡＤＣ部１６、ＦＭ検波部１８、測定部７０、変更部７２、加算部３０、第１ローカル発振器８０、ＤＡＣ部８２、第２ローカル発振器８４、遅延部８６を含む。直交検波部１２は、第１増幅部４０、分配部４２、第１ミキサ４４、第１ＬＰＦ部４６、第２増幅部４８、移相部５０、第２ミキサ５２、第２ＬＰＦ部５４、第３増幅部５６を含む。ここでは、これまでとの差異を中心に説明する。
【００４０】
第１ローカル発振器８０は、第１ローカル発振信号を出力する。第１ローカル発振信号は、デジタル信号である。ＤＡＣ部８２は、第１ローカル発振器８０からの第１ローカル発振信号をデジタル／アナログ変換して、アナログ信号の第１ローカル発振信号（以下、これもまた「第１ローカル発振信号」という）を第２ローカル発振器８４へ出力する。
【００４１】
第２ローカル発振器８４は、ＤＡＣ部８２からの第１ローカル発振信号に応じて第２ローカル発振信号の周波数を調節し、周波数が調節された第２ローカル発振信号を第１ミキサ４４、移相部５０へ出力する。これは、第１ローカル発振器８０からの第１ローカル発振信号によって周波数変調された第２ローカル発振信号を直交検波部１２へ出力することに相当する。
【００４２】
遅延部８６は、第１ローカル発振器８０からの第１ローカル発振信号を遅延させる。遅延時間は、ＤＡＣ部８２、第２ローカル発振器８４、直交検波部１２から変更部７２へ至るまでの処理期間に相当する。遅延部８６は、遅延した第１ローカル発振信号（以下、これもまた「第１ローカル発振信号」という）を加算部３０へ出力する。加算部３０は、変更部７２からの検波信号を入力するとともに、遅延部８６からの第１ローカル発振信号を入力する。加算部３０は、第１ローカル発振信号と検波信号とを加算する。
【００４３】
本実施例によれば、第２ローカル発振信号を周波数変調するので、ベースバンド信号が連続して低減部で低減されることを抑制できる。また、第１ローカル発振器からの第１ローカル発振信号の周波数を音声帯域よりも低い周波数にするので、変調された信号が入力された場合でも低減部でベースバンド信号が連続して低減されることを抑制できる。また、ベースバンド信号が一時的に直流成分に近づき、低減部で低減される場合でも、実施例２と同様にＦＭ検波した信号の出力を補正するので、検波信号の歪みやノイズを低減できる。
【００４４】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４５】
本実施例２乃至４において、変更部７２は、ＦＭ検波部１８から検出信号が出力される部分に配置されている。しかしながらこれに限らず例えば、第１ＡＤＣ部１４とＦＭ検波部１８との間にひとつの変更部７２が配置されるとともに、第２ＡＤＣ部１６とＦＭ検波部１８との間に別の変更部７２が配置されてもよい。ひとつの変更部７２は、Ｉ信号を変更し、別の変更部７２は、Ｑ信号を変更する。本変形例によれば、設計の自由度を向上できる。なお、実施例３、４において、測定部７０、変更部７２が省略されてもよい。その場合、装置構成を簡易にできる。
【符号の説明】
【００４６】
１０  アンテナ、  １２  直交検波部、  １４  第１ＡＤＣ部、  １６  第２ＡＤＣ部、  １８  ＦＭ検波部、  ２０  ＡＦＣ部、  ２２  ＤＡＣ部、  ２４  ローカル発振器、  ３２  第１低減部、  ３４  第２低減部、  ３６  オフセット部、  ４０  第１増幅部、  ４２  分配部、  ４４  第１ミキサ、  ４６  第１ＬＰＦ部、  ４８  第２増幅部、  ５０  移相部、  ５２  第２ミキサ、  ５４  第２ＬＰＦ部、  ５６  第３増幅部、  ６０  第３ＬＰＦ部、  ６２  第４増幅部、  １００  受信装置。
【図１】
2015154241.tif 000003
【図２】
2015154241.tif 000004
【図３】
2015154241.tif 000005
【図４】
2015154241.tif 000006
【図５】
2015154241.tif 000007